(57)【要約】      （修正有）【課題】簡単な操作でロック解除を行えるようにした印判を提供すること。【解決手段】印判は、外筒１１に収容され該外筒内で移動可能な内筒１２と、外筒の移動に連動し得るようにして内筒に収容された印字体と、外筒及び内筒との間の相対移動に連動して開閉するように適合された開閉蓋とを備えている。外筒及び内筒の上下動を規制し得るよう構成されたロック手段は、押圧操作により内筒の係止部に係止して外筒の上動をロックするように形成された押圧ロック片１８を備える。また、外筒の下動に連動して押圧ロック片を押圧位置から非押圧位置に移動させるように構成されたロック解除手段を更に備える。【選択図】図１７Ａ
2019006070.tif 000002
【特許請求の範囲】
【請求項１】
外筒と、前記外筒に収容され該外筒内で移動可能な内筒と、前記外筒の移動に連動し得るようにして前記内筒に収容された印字体と、前記外筒及び内筒の上下動を規制し得るよう構成されたロック手段とを備え、前記外筒の下動により前記内筒の下端部から前記印字体の印面が露出して捺印が可能となる印判であって、
前記ロック手段が、所定の押圧位置で前記内筒の係止部に係止して前記外筒の上動をロックするように形成された押圧ロック片を備え、
前記外筒の下動に連動して前記押圧ロック片を前記押圧位置から非押圧位置に移動させるように構成されたロック解除手段を更に備えていることを特徴とする印判。
【請求項２】
前記ロック手段が、前記外筒が前記内筒に対して上動した上位置、及び、前記外筒が前記内筒に対して下動した下位置の少なくとも双方の各位置において前記押圧ロック片の押圧操作が許容されることにより、前記各位置における前記外筒及び内筒の上下動が規制され得るように構成されていることを特徴とする、請求項１に記載の印判。
【発明の詳細な説明】
【技術分野】
【０００１】
本発明は、捺印動作をロック可能なロック手段を備えた印判に関する。
【背景技術】
【０００２】
従来、捺印動作の度に朱肉に印面を接触させる手間を省くため、印面に対向する蓋に朱肉を保持するように構成した印判が知られている。この種の印判においては、ある程度の回数以上使用されると、朱肉のインキ量が減り、朱肉を交換するか又はインキを補充する必要がある。このような事情を受け、例えば特許文献１、２には、朱肉の交換等のメンテナンスを容易にするために、印面に対向する蓋を開状態に保持するロック手段を備える印鑑ホルダーが開示されている。
【０００３】
特許文献１、２の印鑑ホルダーは、印鑑を保持する内筒を中筒の内部に上下動自在に収納するとともに、内筒の外部に外筒を内筒と連動するように設けている。そして、外筒及び内筒の上下動に連動して回動する蓋に朱肉皿が設けられている。外筒が下動した状態で、外筒の側面に設けた操作ボタンをスライドすることで、蓋の開状態（印面の露出状態）を保持しつつ外筒の上動がロックされるように構成されている。
【先行技術文献】
【特許文献】
【０００４】
【特許文献１】特許第３９１９６８８号公報
【特許文献２】特許第４４１８６４５号公報
【発明の概要】
【発明が解決しようとする課題】
【０００５】
しかし、特許文献１、２の印鑑ホルダーにおいては、外筒の上動ロックを解除する際に、操作ボタンをその都度、ロック解除位置に戻す必要があり、その操作が煩雑であった。また、ロック解除操作を忘れ、蓋を開状態のまま放置すると、インキパッドの乾燥を早めたり、露出した印面によるインキ汚れなどを引き起こす要因にもなる。
【０００６】
そこで、本発明は、捺印動作をロック可能なロック手段を備えた印判において、簡単な操作でロック解除を行えるようにした印判を提供することを目的としている。
【課題を解決するための手段】
【０００７】
上述した課題を解決するため、本発明は、外筒と、前記外筒に収容され該外筒内で移動可能な内筒と、前記外筒の移動に連動し得るようにして前記内筒に収容された印字体と、前記外筒及び内筒の上下動を規制し得るよう構成されたロック手段とを備え、前記外筒の下動により前記内筒の下端部から前記印字体の印面が露出して捺印が可能となる印判であって、前記ロック手段が、所定の押圧位置で前記内筒の係止部に係止して前記外筒の上動をロックするように形成された押圧ロック片を備え、前記外筒の下動に連動して前記押圧ロック片を前記押圧位置から非押圧位置に移動させるように構成されたロック解除手段を更に備えていることを特徴とする。
【０００８】
印判は、前記ロック解除手段が、前記外筒にスライド操作可能に設けられ、所定のロック解除位置にスライド操作がされるのに連動して前記押圧ロック片を前記押圧位置から引き出して、前記外筒の下動のロックを解除するように形成されたスライド操作片を含むものでもよい。
【０００９】
また、印判は、前記ロック手段が、前記外筒が前記内筒に対して上動した上位置、及び、前記外筒が前記内筒に対して下動した下位置の少なくとも双方の各位置において前記押圧ロック片の押圧操作が許容されることにより、前記各位置における前記外筒及び内筒の上下動が規制され得るように構成されていることが好ましい。
【発明の効果】
【００１０】
本発明に係る印判によれば、外筒及び内筒の上下動を規制し得るよう構成されたロック手段が、所定の押圧位置で前記内筒の係止部に係止して前記外筒の下動をロックするように形成された押圧ロック片を備え、前記外筒の下動に連動して前記押圧ロック片を前記押圧位置から非押圧位置に移動させるように構成されたロック解除手段を更に備えている。これにより、印判の使用者は、捺印動作に連動して簡単な操作でロック解除を行うことができる。
【図面の簡単な説明】
【００１１】
【図１】本発明の第一実施形態による印判の斜視図である。
【図２】図１の印判の正面図である。
【図３】図２に示したIII-III線に沿う印判の断面図である。
【図４】外筒の斜視図である。
【図５】内筒の斜視図である。
【図６】印字体の斜視図である。
【図７】押圧ロック片の斜視図である。
【図８】縦スライド操作片の斜視図である。
【図９】外筒が下位置に操作されたときの上方から見た印判の斜視図である。
【図１０】外筒が下位置に操作されたときの下方から見た印判の斜視図である。
【図１１】外筒が上位置でスライド操作片がロック操作許容位置にあるときのロック手段の外観図である。
【図１２Ａ】図１１に示したXII-XII線に沿う断面図である。
【図１２Ｂ】図１１に示したXII-XII線に沿う断面図であって、押圧ロック片が押圧位置に操作されたときの図である（外筒が下動ロック状態）。
【図１３】外筒が上位置でスライド操作片がロック解除位置に操作されたときのロック手段の外観図である。
【図１４Ａ】図１３に示したXIV-XIV線に沿う断面図であって、ロック解除動作を説明するための図である。
【図１４Ｂ】図１３に示したXIV-XIV線に沿う断面図であって、ロック解除動作を更に説明するための図である。
【図１５】外筒が下位置に操作されたときの印判の正面図である。
【図１６Ａ】図１５に示したXVI-XVI線に沿う断面図であって、押圧ロック片が押圧位置に操作される前の図である
【図１６Ｂ】図１５に示したXVI-XVI線に沿う断面図であって、押圧ロック片が押圧位置に操作されたときの図である（外筒が上動ロック状態）。
【図１７Ａ】図１５に示したXVI-XVI線に沿う断面図であって、ロック解除動作を説明するための図である。
【図１７Ｂ】図１５に示したXVI-XVI線に沿う断面図であって、ロック解除動作を更に説明するための図である。
【発明を実施するための形態】
【００１２】
以下、本発明に係る印判の好適な実施形態を、図面を参照しながら説明する。なお、本明細書において「前」及び「後」、「上位置」及び「下位置」、「上方向」及び「下方向」並びに「上動」及び「下動」というときには、単に相対的な位置関係や相対的な動作の方向を説明するのに過ぎず、絶対的な意味においては解釈されない。また、本明細書において、「縦方向」とは外筒及び内筒が上下動する動線方向をいい、「横方向」とは前記動線方向に対して直交する方向をいう。
【００１３】
図１は、本発明の一実施形態による印判１の斜視図である。図２は、図１の印判１の正面図である。図３は、図２に示したIII-III線に沿う印判の断面図である。これらの図に示されるように、印判１は、外筒１１と、外筒１１に収容され該外筒内で移動可能な内筒１２と、外筒１１の移動に連動し得るようにして内筒１２に収容された印字体１４と、外筒１１及び内筒１２との間の相対移動に連動して開閉するように適合された開閉蓋１３とを備えている。外筒１１内には、圧縮状態のコイルバネ１７が設けられ、コイルバネ１７の弾発力により、内筒１２が外筒１１から常時突出する方向に付勢されている。
【００１４】
外筒１１は、印判１の本体を構成するとともに、捺印をする際の持ち手部（グリップ）としても機能する部材である。ここで、図４は、印判１に用いられる外筒１１の外観斜視図である。外筒１１は、略角筒状を有しており、その天板部に印字体１４の上部（被嵌装部１４３）を嵌装するための印字体嵌装部１１１が開口形成されている。また、外筒１１の上部に、キャップを弾性係止するための係止爪１１２が形成されている。
【００１５】
また、外筒１１の前面部には、後述するスライド操作片１９がスライド操作可能に装着されるスライド操作片装着部１１３が形成されている。スライド操作片装着部１１３は、スライド操作片１９を外筒１１の前面部に上下方向（縦方向）に案内するためのガイド溝１１３ａ、スライド操作片１９を介して取り付けられる後述する押圧ロック片１８のロック部１８２を挿入させるためのロック孔１１３ｂ、及びスライド操作片１９を所定のスライド位置に保持するための嵌合保持溝１１３ｃを含む。
【００１６】
内筒１２は、例えば図５に示されるように、略角筒状の中空部材からなる。内筒１２は、その下端部１２ａに、印字体１４の印面を露出させるための開口を有している。また、内筒１２は、その上部が、外筒１１の下側開放部からスライド移動可能に挿入される。
【００１７】
図５に示されるように、内筒１２の前面下部には、開閉蓋１３により閉じられるように適合された開放部１２３が形成されている。内筒１２の天板部には、印字体１４が貫通するよう適合された開口部１２４が形成されている。内筒１２の側面部には、開閉蓋１３の図示しないフォロア軸部を案内するためのカム孔部１２２が設けられている。内筒１２の前面部側の上端角部１２８は、印判１の不使用時に外筒１１が内筒１２に対して完全に上動した上位置で、後述する押圧ロック片１８のロック部１８２と係止することで、外筒１１の下動（捺印動作）をロックするための上係止部となっている。また、内筒１２の前面部２個所に形成されている溝孔部１２９は、印判１の捺印時に外筒１１が内筒１２に対して下動し、開閉蓋１３が開いた下位置で、同じく押圧ロック片１８のロック部１８２と係止することで、外筒１１の上動をロックするための下係止部となっている。
【００１８】
なお、詳細は後述するが、押圧ロック片１８、スライド操作片１９、上端角部（上係止部）１２８及び溝孔部（下係止部）１２９などにより、本実施形態の印判１のロック手段が構成される。
【００１９】
印字体１４は、内筒１２内に収容されるが、外筒１１の移動に連動し得るように該外筒１１に嵌装されている。図６に示されるように、印字体１４は略円柱状を有している。より具体的に、印字体１４は、円筒状の本体部１４１と、本体部１４１の左右部に形成されるガイド突起部１４２と、本体部１４１の上部に形成される被嵌装部１４３とを有して構成され、本体部１４１の下部１４１ａに、印面部１４ａ（図３参照）が設けられている。
【００２０】
上述したように、被嵌装部１４３が、外筒１１の天板部に開口する印字体嵌装部１１１に挿入されて保持されることで、印字体１４が外筒１１の移動に連動し得るように該外筒１１に嵌装されている。
【００２１】
開閉蓋１３は、内筒１２に回動可能に取り付けられる部材である。開閉蓋１３の図示しないフォロア軸部が、外筒１１に形成されたカム孔部及び内筒１２に形成されたカム孔部１２２とが交差する孔部に拘束されることにより、外筒１１及び内筒１２の上下動を開閉蓋１３の回動に変換するカム機構が構成されている。このカム機構により、開閉蓋１３は、外筒１１が内筒１２に対し下動するに従って開く側に回動し、逆に外筒１１が内筒１２から上動するに従って閉じる側に回動する。
【００２２】
印判１を使用しないときには、コイルバネ１７の弾発力により、内筒１２が外筒１１から最も突出する位置となる。このとき、開閉蓋１３により、内筒１２の前面側の開放部１２３が塞がれるとともに、開閉蓋１３の裏面側のインキパッド容器１５に保持されたインキパッド１６が印字体１４の印面に対向当接し、インキが印面に供給される。
【００２３】
なお、インキパッド１６の材料としては、例えば、ポリエチレン（ＰＥ）及びポリプロピレン（ＰＰ）を素材とするポリオレフィン系繊維を用いることができる。インキパッド１６に含浸されるインキは、顔料系、染料系、油性系、水性系を問わず適宜使用可能である。例えば、コート紙、プラスチックフィルム、アルミニウム、鉄等の難吸収紙や非吸収材に捺印するための速乾性インキとしては、速乾性溶剤に着色剤や樹脂等を溶解混合した油性インキを用いることができる。また、インキパッド１６を保持するインキパッド容器１５は、開閉蓋１３の裏面側の容器保持部に、着脱可能に保持されることが好ましい。
【００２４】
印判１の捺印に際して、外筒１１がコイルバネ１７の弾発力に抗して押圧され下動すると、それに連動して開閉蓋１３が上方に回動して開状態となる（図９参照）。そして、外筒１１が更に下動し所定の位置に至ると、内筒１２の下端部１２ａから印字体１４の印面が露出することで捺印が可能となる（図１０参照）。また、外筒１１の押圧を開放すると、コイルバネ１７の弾発力により外筒１１が上動し、それに連動して開閉蓋１３が下方に回動して内筒１２を閉じるよう動作する。
【００２５】
本実施形態による印判１は、外筒１１及び内筒１２の上下動を規制し得るよう構成されたロック手段を備えている。次に、このロック手段の詳細を説明する。ロック手段は、外筒１１の前面部において押圧操作可能に設けられる押圧ロック片１８と、縦方向にスライド操作可能に設けられるスライド操作片１９とを備えている。ロック手段は、外筒１１が内筒１２に対して上動した上位置、及び、外筒１１が内筒１２に対して下動した下位置の少なくとも双方の各位置において、押圧ロック片１８の押圧操作が許容されることにより、各位置における外筒１１及び内筒１２の上下動が規制され得るように構成されている。
【００２６】
ここで、図７は、本実施形態による押圧ロック片１８の斜視図である。押圧ロック片１８は、横方向に若干屈曲する棒状部である押圧操作部１８１と、押圧操作部１８１の左右の各端部から後方に突起するロック部１８２を有している。押圧操作部１８１の背面側には、後方に向かうに従って下がる傾斜背面部１８３が形成されている。
【００２７】
図８は、本実施形態によるスライド操作片１９の斜視図である。スライド操作片１９は、横方向に若干湾曲する板状の操作板部１９１を主要部とする可動部材である。操作板部１９１の中央よりも下には、押圧ロック片１８が突没可能な開口部１９２が形成されている。操作板部１９１の左右の各端部には、上述した外筒１１のガイド溝１１３ａ（図４参照）に係合して、スライド操作片１９の縦方向へのスライド移動が案内される係合ガイド部１９３が形成されている。
【００２８】
次に、例えば印判１の不使用時において、外筒１１が捺印操作されていない上位置にあるときのロック手段の動作を説明する。ここで、図１１は、外筒１１が上位置にあるときのロック手段の外観図である。図１１に示されるように、スライド操作片１９が上側のロック操作許容位置にあるときには、図１２Ａに示されるように、押圧ロック片１８の押圧操作が許容される。そして、スライド操作片１９がロック操作許容位置で、押圧ロック片１８が所定の押圧位置に押圧操作（これを「押圧ロック操作」という。）されると、図１２Ｂに示されるように、押圧ロック片１８のロック部１８２が外筒１１の内側に突出する。これにより、押圧ロック片１８のロック部１８２が、内筒１２の上端角部（上係止部）１２８に係止可能となり、外筒１１の下動がロックされる（下動ロック状態）。外筒１１が下動ロック状態のときには、外筒１１に不測の外力が加えられても、外筒１１が下動することはない。したがって印判１の不用意な捺印動作を防止することができる。
【００２９】
本実施形態による印判１は、外筒１１及び内筒１２の上下動のロック状態を解除するロック解除手段を備えている。図１３は、スライド操作片１９が下側のロック解除位置にスライド操作されたときのロック手段の外観図である。スライド操作片１９が上述のロック操作許容位置からロック解除位置に向けてスライド操作されると、スライド操作片１９の開口部１９２の上縁部（べベルエッジ部）と、押圧ロック片１８の傾斜背面部１８３とが当接する。そして、図１４Ａに示されるように、スライド操作片１９が所定のロック解除位置にスライド操作がされるのに連動して、開口部１９２の上縁部と押圧ロック片１８の傾斜背面部１８３とが当接しながら摺動し、押圧ロック片１８が押圧位置から引き出される。これによりロック部１８２がロック孔１１３ｂ内に没入し、図１４Ｂに示されるように外筒１１の下動ロックが解除される。
【００３０】
このように、本実施形態では、スライド操作片１９をロック操作許容位置から下方のロック解除位置にスライド操作するだけで、押圧ロック片１８を非押圧位置に引き出すことができる。したがって、印判１の使用者は、例えば片手のみで簡単に外筒１１の下動ロック状態を解除することができる。
【００３１】
また、本実施形態の印判１は、押圧ロック片１８が押圧ロック操作されるのに連動して、スライド操作片１９をロック解除位置からロック操作許容位置に復帰させるようにも構成されたスライド操作片復帰手段を備えている。例えば図１４Ａに示したロック操作解除位置で押圧ロック片１８を押圧すると、押圧ロック片１８の傾斜背面部１８３がスライド操作片１９の開口部１９２に当接する。そして、更に押圧ロック片１８を押し込むと、これらが摺動してスライド操作片１９をロック操作許容位置に復帰させるとともに外筒１１をロックすることができる（図１２Ｂ参照）。
【００３２】
次に、外筒１１が例えば捺印操作された下位置でのロック手段の動作を説明する。ここで、図１５は、外筒１１が下位置にあるときの印判１の正面図である。図１５に示されるように、スライド操作片１９が上側のロック操作許容位置にあるときには、図１６Ａに示されるように、押圧ロック片１８の押圧操作が許容される。押圧ロック片１８が押圧ロック操作されると、図１６Ｂに示されるように、押圧ロック片１８のロック部１８２が内筒１２の溝孔部（下係止部）１２９に突入する。これにより、押圧ロック片１８のロック部１８２が、溝部１２８に係止可能となり、外筒１１の上動がロックされる（上動ロック状態）。
【００３３】
外筒１１が下位置に操作された状態では、図９、１０及び１５に示したように、開閉蓋１３が開状態となる。したがって、使用者は、外筒１１が下位置で押圧ロック片１８を押圧操作して簡単にロックすることができる。これにより、開閉蓋１３の開状態を保持したまま、インキパッド容器１５を取り出し、インキパッド１６の交換やインキの補充等を容易にすることができる。
【００３４】
更に本実施形態のロック解除手段は、外筒１１が上動ロック状態のときに、外筒１１を若干下動させることで、押圧ロック片１８を押圧位置から非押圧位置に移動させる構成を含む。図１７Ａ及び１７Ｂを参照して具体的に説明すると、押圧ロック片１８のロック部１８２の角には、テーパ状に切削されたテーパーエッジ部１８５が形成され、内筒１２の溝孔部１２９の下面が傾斜面部１２５となっている。
【００３５】
上動ロック状態の外筒１１を若干下動させると、押圧ロック片１８のテーパーエッジ部１８５と、内筒１２の傾斜面部１２５とが当接する。そして、テーパーエッジ部１８５と傾斜面部１２５とが摺動し、外筒１１が下動する力が押圧ロック片１８を押し出す力に変換される。これにより、押圧ロック片１８が非押圧位置に引き出されロックが解除される。したがって、印判１の使用者は、捺印動作に連動して簡単な操作でロック解除を行うことができる。
【符号の説明】
【００３６】
１  印判
１１  外筒
１２  内筒
１２ａ  下端部
１３  開閉蓋
１４  印字体
１８  押圧ロック片
１９  スライド操作片
１２５  傾斜面部
１２８  上端角部（上係止部）
１２９  溝孔部（下係止部）
１８１  押圧操作部
１８２  ロック部
１８３  傾斜背面部
１８５  テーパーエッジ部
【図１】
2019006070.tif 000003
【図２】
2019006070.tif 000004
【図３】
2019006070.tif 000005
【図４】
2019006070.tif 000006
【図５】
2019006070.tif 000007
【図６】
2019006070.tif 000008
【図７】
2019006070.tif 000009
【図８】
2019006070.tif 000010
【図９】
2019006070.tif 000011
【図１０】
2019006070.tif 000012
【図１１】
2019006070.tif 000013
【図１２Ａ】
2019006070.tif 000014
【図１２Ｂ】
2019006070.tif 000015
【図１３】
2019006070.tif 000016
【図１４Ａ】
2019006070.tif 000017
【図１４Ｂ】
2019006070.tif 000018
【図１５】
2019006070.tif 000019
【図１６Ａ】
2019006070.tif 000020
【図１６Ｂ】
2019006070.tif 000021
【図１７Ａ】
2019006070.tif 000022
【図１７Ｂ】
2019006070.tif 000023